(57)【要約】【課題】カットに際して、一々、物差しを当てて計りながらカットする為にカットのリズムが狂うと言ったこと無くリズミカルにカット出来、しかも手軽に、かつ、簡単にして正確に髪をカットできる技術を提供することである。【解決手段】一対の鋏身１，２が支点３において結合されてなる理・美容鋏において、前記鋏身の外面側に目盛８が設けられている。【選択図】  図１
2005013638.tif 000002
【特許請求の範囲】
【請求項１】
一対の鋏身が支点において結合されてなる理・美容鋏において、
前記鋏身の外面側に目盛が設けられてなる
ことを特徴とする理・美容鋏。
【請求項２】
目盛が鋏身の峰側に少なくとも設けられていることを特徴とする請求項１の理・美容鋏。
【請求項３】
目盛は鋏身の先端側から設けられていることを特徴とする請求項１又は請求項２の理・美容鋏。
【請求項４】
目盛が鋏身・表に少なくとも設けられていることを特徴とする請求項１〜請求項３いずれかの理・美容鋏。
【発明の詳細な説明】
【０００１】
【発明の属する技術分野】
本発明は理・美容鋏に関する。
【０００２】
【発明が解決しようとする課題】
理・美容鋏（理容鋏または美容鋏）は、図５に示す如く、基本的には、鋏身・表（静刃）と鋏身・裏（動刃）とがネジ（支点）において結合された構造を有する。そして、このような鋏を用いて、理容師や美容師は顧客の髪をカットしている。
【０００３】
ところで、カットに際して、顧客から、例えば２ｃｍだけカットして下さいと注文が付くことは多い。このような時、理容師や美容師は、２ｃｍは、大体、これ位との見当を付けて、カットしているのが実情である。しかし、長さを正確に捉えている人は少なく、往々にして、その長さはバラバラである。例えば、ある美容師では２ｃｍカットの注文を受けても、４ｃｍもカットしてしまうことが有り、逆に、１ｃｍしかカットしない場合も有る。１ｃｍしかカットしなかった場合には、顧客の再度の求めによって、更に、カットすれば問題は解決するであろう。但し、この場合でも、二度手間になる問題は有る。
【０００４】
しかしながら、２ｃｍカットの注文なのに４ｃｍもカットした場合には、顧客との間でトラブルの原因となる。このようなトラブルは、特に、女性の場合には深刻な問題になってしまう。
【０００５】
又、前側から後側にかけて、幅Ｙｃｍに亘って長さＸｃｍだけカットして下さいとの注文も多い。ところで、このような場合、右側も左側も同じ注文であることが前提となっている。なぜならば、人の顔や髪は、基本的には、左右対称であるからによる。このような時、例えば右側の髪を幅Ｙｃｍに亘って長さＸｃｍカットし、次いで左側の髪も幅Ｙｃｍに亘って長さＸｃｍカットしようとする。ところが、ここでも、長さに対する感覚が大雑把なものであるから、左右の幅Ｙｃｍに違いが起きる場合は極めて多い。一致する方が寧ろ稀である。このような場合、髪は左右非対称となって、これ、また、顧客との間でトラブルの原因となってしまう。
【０００６】
このように、長さに対する把握が大雑把な為、カットに際して、顧客との間でトラブルが起きてしまう。カットに対する要求が益々厳しくなって来る今後では、トラブルが益々多くなるであろうと予想される。
【０００７】
さて、長さに対する把握が大雑把な以上、正確にカットしようとすれば、物差しを当てて計りながらカットせざるを得ないであろう。
【０００８】
しかしながら、一々、物差しで計りながらカットするのでは、手間が掛かり、かつ、カットに際してのリズムも狂い、これでは上手くカット出来ないものとなってしまう。従って、髪を切り過ぎたとのトラブルが起きても、物差しで計りながらカットすると言ったことが出来ない。
【０００９】
従って、本発明が解決しようとする課題は、髪のカットに際して、一々、物差しを当てて計りながらカットする為にカットのリズムが狂うと言ったことは起きず、リズミカルにカット出来、しかも手軽に、かつ、簡単に、長さや幅を注文通り正確にカットできる技術を提供することである。
【００１０】
【課題を解決するための手段】
前記の課題に対する検討を鋭意押し進めて行く中に、理容師や美容師は、カットに際して、必ず、鋏と櫛とを持っていることに気付いた。又、鋏と櫛とを手にしているが故に、物差しを持って長さを計りながらカットするのでは、カットのリズムが狂ってしまうことにも気付いた。
【００１１】
従って、櫛や鋏に目盛（長さの基準となる目盛）を設けておけば、物差しが無くても、長さを正確に把握できるであろうと考えた。
【００１２】
そこで、先ず、櫛に目盛を付け、櫛で梳いた後、この櫛を合わせてＸｃｍを求め、そしてＸｃｍだけカットすることを行ってみた。この場合は、正確に、Ｘｃｍだけカット出来、問題は無かった。
【００１３】
しかしながら、例えば右側の髪を、手前側から後側に幅Ｙｃｍに亘って長さＸｃｍだけカットした後、左側の髪を手前側から後側に幅Ｙｃｍに亘って長さＸｃｍだけカットするような場合、櫛で以って長さを計るのは煩瑣になり、カットのリズムが狂ってしまうことが判って来た。
【００１４】
そこで、今度は、目盛を付けた鋏を用意した。そして、上記と同じようにして、今度は、鋏で以ってカットする髪の長さや幅を決めるようにした処、今度は、カットのリズムが狂わされることも無く、しかも正確にカット出来るようになった。
【００１５】
上記知見を基にして本発明が達成されたものである。
【００１６】
すなわち、前記の課題は、一対の鋏身が支点において結合されてなる理・美容鋏において、
前記鋏身の外面側に目盛が設けられてなる
ことを特徴とする理・美容鋏によって解決される。
【００１７】
尚、カットする長さ、即ち、長さをＸｃｍだけカットして下さいとの注文に際しては、カットする前に、図２に示す如く、鋏を当て、鋏身に設けられた目盛でＸｃｍがどれだけの長さかを把握するようになる。従って、このような場合、鋏身・表と鋏身・裏とは互いに重なり合っているから、鋏身の内面側（鋏身・表と鋏身・裏とが接触する側）に目盛を設けていたのでは、意味が無くなる。つまり、鋏を開かなければ、その目盛が見えないから、目的が達成されない。かつ、鋏を開いた状態、例えば図４のような開いた状態で髪に鋏を当てることは危険でも有る。かつ、内面側に設けられていると、鋏身の開閉に際して、目盛が擦られるようになり、次第に目盛が薄くなって行き、見え難いものとなってしまう。
【００１８】
従って、本発明では、目盛を鋏身の外面側に設けることにした。そして、外面側に目盛が設けられていると、上記のような問題は起きなかった。
【００１９】
又、例えば右側の髪を幅Ｙｃｍに亘って長さＸｃｍだけカットする場合でも、Ｙｃｍの幅長は、鋏身に目盛が設けられていると、カットしている動作中に一瞬にして把握できる。
【００２０】
ところで、鋏を当ててカットする長さを把握するだけで有れば、目盛は鋏身の外面側に設けられていれば良い。しかしながら、例えば右側の髪を幅Ｙｃｍに亘って長さＸｃｍだけカットするような場合、目盛が刃先側にしか設けられていないと、カット動作中には目盛は髪によって隠れてしまうようになることが多い。従って、このような場合には、カットを停止せざるを得なくなる。しかし、これでは不便である。
【００２１】
これに対して、目盛が鋏身の峰側に少なくとも設けられていると、カット中でも、この峰側の目盛は目視でき、カット中にカット幅を把握できる。
【００２２】
従って、本発明では、好ましくは目盛を鋏身の峰側に少なくとも設けることにした。
【００２３】
又、カットに際して、鋏身・表と鋏身・裏とを対比すると、一般的には、鋏身・表が上側に位置し、鋏身・裏が下側に位置する。この為、鋏身・裏にしか目盛が無い場合には、カット中に目盛が見え難いものとなってしまう。従って、鋏身の外面側に目盛を設けるにしても、好ましくは鋏身・表の外面側に少なくとも設けることにした。
【００２４】
又、髪をＸｃｍの長さだけカットするような場合には、鋏を髪に当てることになる。このような場合、図２に示すように当てることになる。従って、目盛は鋏身の先端側から設けられていることが好ましい。
【００２５】
【発明の実施の形態】
本発明になる理・美容鋏（理容鋏または美容鋏）は、一対の鋏身が支点において結合されてなる理・美容鋏において、前記鋏身の外面側に目盛が設けられてなる。前記目盛は、特に、鋏身の峰側に少なくとも設けられている。又、鋏身・表に少なくとも設けられている。又、鋏身の先端側から設けられている。
以下、詳細に説明する。
【００２６】
図１〜図３は本発明になる理・美容鋏の一実施形態を示すもので、図１は全体の平面図、図２は髪の長さをＸ（５）ｃｍだけカットしようとして鋏を当てた状態の概略図、図３は幅Ｙｃｍに亘って長さＸｃｍだけ髪をカットしようとしている状態での概略図、図４は幅Ｙｃｍに亘って長さＸｃｍだけ髪をカットした場合の説明図である。
【００２７】
各図中、１は鋏身・表、２は鋏身・裏、３はネジ（支点）、４は環指柄、５は環指環、６は小指掛け、７はヒットポイントである。
【００２８】
８は、鋏身・表１の外面側（鋏身・裏２とは反対側）の表面に設けられた目盛（長さの基準となる目盛）である。この目盛８は、図１からも判る通り、鋏身・表１の峰側に設けられている。勿論、峰側のみならず、刃先側にも設けられていても良い。但し、刃先側の目盛は刃を研いだ際に無くなる場合も有り、かつ、刃先側に設ける格別な意味合いは乏しい。更には、溝を形成して目盛を表現するような場合にあっては、刃先側に溝（目盛）が形成されていることは、切れ具合の観点からも好ましく無い。従って、本実施形態では、目盛は峰側から略中間の位置位までとした。又、図１からも判る通り、目盛８は、鋏身・表１の最先端からネジ３側にかけて設けられている。目盛８の数字は鋏身・表１の最先端を０とした長さで表している。例えば、図１において、目盛の「５」の数字は、その位置が先端から５ｃｍであることを意味している。そして、上記鋏身・表１の外面側に設けられた目盛８と同様な目盛（図示せず）が鋏身・裏２の外面側にも設けられている。
【００２９】
上記のように構成させた鋏を用いてカットする場合を図２や図３に基づいて説明する。
顧客から５ｃｍだけカットして下さいとの注文が有ったとする。そうすると、櫛で梳いた後、図２に示す如く、髪の先端が５ｃｍの目盛に位置するように鋏を合わせ、次いで鋏先端に指を合わせ、これを基準にして髪をカットして行く。そうすると、長さは注文通りで間違いなくカットされる。従って、顧客との間で切り過ぎたと言ったトラブルは起きない。
【００３０】
次に、図４に示す如く、幅Ｙｃｍに亘って長さＸｃｍだけカットしなければならない場合について説明する。このような場合、先ず、図２に示すのと同様にして、カットする長さの位置を決める。そして、カットし始める。この場合、どれだけカットして行くかは、顧客の希望に沿ってＸ，Ｙは決まっている。ところで、切り始めの位置は目盛で判っているから、顧客が４ｃｍの幅に亘って長さ５ｃｍだけカットして下さいとのことであれば、５ｃｍを図２のようにして決めた後、切り始めから目盛が４ｃｍの位置となるような位置でカットを止めるようにすれば良い。このカットに際して、目盛８は鋏身・表１の外面側の峰側に設けられているから、カット時に髪に隠れてしまって見えなくなると言った支障は起きない。従って、カットのリズムを狂わされること無く、リズミカルに、かつ、正確にカットできるようになる。そして、上記と反対側も同じようにしてカットされて行く。このようにしてカットされると、左右は殆ど同じにカットされるから、左右で長さや幅が違っていると言ったことは起きない。従って、このような点においても顧客との間でトラブルが起き難い。
【００３１】
【発明の効果】
カットに際して、一々、物差しを当てて計りながらカットしなくても、正確にカット出来る。そして、物差しを当てて計ると言ったもので無いから、カットのリズムが狂わされることも無い。すなわち、リズミカルにカットでき、その作業性は良好である。すなわち、手軽に、かつ、簡単にして正確に髪をカット出来る。更には、顧客との間で切り過ぎたと言ったトラブルが起き難いものとなる。
【図面の簡単な説明】
【図１】本発明になる理・美容鋏の全体の平面図
【図２】本発明になる理・美容鋏を用いて髪の長さを５ｃｍだけカットしようとして鋏を当てた状態の概略図
【図３】本発明になる理・美容鋏を用いて幅Ｙｃｍに亘って髪の長さをＸｃｍだけカットしようとしている状態の概略図
【図４】本発明になる理・美容鋏を用いて幅Ｙｃｍに亘って髪の長さをＸｃｍだけカットした場合の説明図
【図５】従来の鋏の説明図
【符号の説明】
１    鋏身・表
２    鋏身・裏
３    ネジ（支点）
８    目盛
【図１】
2005013638.tif 000003
【図２】
2005013638.tif 000004
【図３】
2005013638.tif 000005
【図４】
2005013638.tif 000006
【図５】
2005013638.tif 000007